(57)【要約】【課題】着脱作業が容易に行える防火ダンパー取付構造の実現。【解決手段】ダクトの入口6Bに設けられた取付枠10に、防火ダンパー20を着脱自在に取り付ける防火ダンパー取付構造であって、取付枠10および防火ダンパー20の少なくとも一方に設けられ、防火ダンパーを取付枠に取り付けるための締結具16A,16B,29A,29Bを有し、締結具16A,16B,29A,29Bを片手で操作することにより防火ダンパーを取付枠に取り付けることができる防火ダンパー取付構造。【選択図】図５
2014149129.tif 000002
【特許請求の範囲】
【請求項１】
ダクトの入口に設けられた取付枠に、防火ダンパーを着脱自在に取り付ける防火ダンパー取付構造であって、
前記取付枠および前記防火ダンパーの少なくとも一方に設けられ、前記防火ダンパーを前記取付枠に取り付けるための締結具を備えることを特徴とする防火ダンパー取付構造。
【請求項２】
前記締結具は、前記取付枠および前記防火ダンパーの一方に設けられたクレセント錠と、前記取付枠および前記防火ダンパーの他方に設けられた受け具を含む請求項１記載の防火ダンパー取付構造。
【請求項３】
前記防火ダンパーは、本体部と、つば部と、を有し、
前記取付枠は、前記防火ダンパーの前記本体部を収容する筒と、前記筒の外側の縁の外周に設けられ、前記防火ダンパーの前記つば部を受けるつば受け部と、を有し、
前記つば受け部は、底面部と、前記底面部との間にスライド空間を形成するガイド支持部と、を有し、
前記つば部および前記ガイド支持部は、所定の位置関係にある時には、前記つば部を前記底面部に接触することが可能で、前記つば部を前記底面部に接触した状態で前記つば部をスライドすることにより、前記つば部の一部を、両側に前記底面部と前記ガイド支持部が位置する前記スライド空間に配置することが可能な形状を有する請求項１または２記載の防火ダンパー取付構造。
【発明の詳細な説明】
【技術分野】
【０００１】
本発明は、防火ダンパーの取付構造に関する。
【背景技術】
【０００２】
建物を連通する排煙路（ダクト）を介して建物に炎が回って大火災が発生するのを防止するため、厨房のダクトの入口に防火ダンパーを配置することが行われる。防火ダンパーは、例えば特許文献１および２に記載されており、広く知られている。
【０００３】
厨房では油煙が発生する。発生した油煙は、ダクトに入り込み、ダクトの壁に付着する。油煙の付着により表面に油の層が形成されたダクトは、火の粉などが入ると発火し、ダクトが燃焼するという問題がある。そのため、厨房のダクトの入口に防火ダンパーを配置する場合、グリスフィルタを配置し、油煙をまずグリスフィルタで除去した後、グリスフィルタを通過した排気が防火ダンパーを通過してダクトに入るようにしている。
【０００４】
グリスフィルタは、油煙を完全に除去することは難しく、油煙を含んだ排気が防火ダンパーを通過するため、厨房のダクトの入口に配置される防火ダンパーは、油煙の付着が避けられず、短期間のうちに表面に油の層が形成される。表面に油の層が形成されると、発火の危険性が増大すると共に、防火ダンパーの機構が正常に動作するのを妨げるという問題を発生する。そのため、防火ダンパーは、頻繁に洗浄することが望まれている。
【０００５】
防火ダンパーは、ダクトの入口に固定した取付枠に、ねじ止めすることにより取り付けられるのが一般的である。そのため、防火ダンパーを洗浄する場合には、ドライバでねじを外した後、取付枠から防火ダンパーを取り外して洗浄する。洗浄した防火ダンパーは、取付枠に取り付け、ドライバでねじを締めて固定する。
【０００６】
防火ダンパーの取付位置は、部屋の上部であることが一般的であり、例えば天井などに取り付けられることが多い。また、防火ダンパーは、かなりの重量を有する。そのため、取り外す場合には、一方の手で重たい防火ダンパーを支えながら、他方の手でドライバを回してねじを外し、ねじを回収した後、防火ダンパーを取付枠から取り外す作業を行うことになる。また、取り付ける場合には、防火ダンパーを取付枠内に入れた後、一方の手で重たい防火ダンパーを支えながら、他方の手でねじを取り付け、ドライバを回してねじを締める作業を行うことになる。
【０００７】
上記のように、防火ダンパーの着脱作業は煩雑で、難しい作業である。特に、前段にグリスフィルタが配置される構造では、まずグリスフィルタを外した後、限られた空間を通して防火ダンパーの着脱作業を行う必要があり、作業はより難しくなる。
【０００８】
防火ダンパーの着脱作業が難しくなると、防火ダンパーの洗浄を頻繁に行うことが難しくなり、洗浄の間隔が長くなる。洗浄の間隔が長くなると、防火ダンパーの表面に形成される油の層が厚くなり、発火の危険性が増大すると共に、防火ダンパーの機構が正常に動作しなくなる可能性が増大する。
【先行技術文献】
【特許文献】
【０００９】
【特許文献１】特開平８−１９６６５４号公報
【特許文献２】特開２００７−７８２１３号公報
【特許文献３】特開平１１−９３４８８号公報
【発明の概要】
【発明が解決しようとする課題】
【００１０】
本発明は、着脱作業が容易に行える防火ダンパー取付構造の実現を目的とする。
【課題を解決するための手段】
【００１１】
上記目的を実現するため、本発明によれば、取付枠および防火ダンパーの少なくとも一方に、防火ダンパーを取付枠に取り付けるための締結具を設け、一方の手で防火ダンパーを支えながら、他方の手で締結具を操作して取付枠に対して防火ダンパーを取り外しおよび取り付けできるようにする。
【００１２】
すなわち、本発明の防火ダンパー取付構造は、ダクトの入口に設けられた取付枠に、防火ダンパーを着脱自在に取り付ける防火ダンパー取付構造であって、取付枠および防火ダンパーの少なくとも一方に設けられ、防火ダンパーを取付枠に取り付けるための締結具を有することを特徴とする。
【００１３】
本発明によれば、締結具は、取付枠および防火ダンパーの少なくとも一方に設けられているため、一方の手で防火ダンパーを支えた状態で、他方の手で締結具に容易に接触して操作することができ、取付枠に対して防火ダンパーを取り外しおよび固定する作業を容易に行うことができる。
【００１４】
例えば、上記のように、ドライバでねじを回す場合、ドライバを持つ手で、取り外したねじの回収および取り付けるねじのねじ穴への挿入を行う必要があり、非常に難しい作業である。本発明では、１つの手に２つの物品を持って操作する必要はないので、作業は大幅に簡単になる。
【００１５】
締結具は、例えば、取付枠および防火ダンパーの一方に設けられたクレセント錠と、取付枠および防火ダンパーの他方に設けられた受け具の組である。クレセント錠と受け具による締結機構は広く知られており、部品の入手が容易である。
【００１６】
クレセント錠と受け具の組は、１組に限定されず、複数組用いてもよい。
クレセント錠と受け具は、溶接、リベット打ち、ネジ止め等により、取付枠および防火ダンパーに設けられる。
【００１７】
クレセント錠は、ノブを回転するだけで受け具との締結を容易に行えるので、着脱作業は容易である。
【００１８】
本発明の一つの態様によれば、防火ダンパーは、本体部と、つば部と、を有し、取付枠は、防火ダンパーの本体部を収容する穴と、穴の外側の縁の外周に設けられ、防火ダンパーのつば部を受けるつば受け部と、を有する。つば受け部は、底面部と、底面部との間にスライド空間を形成するガイド支持部と、を有し、つば部およびガイド支持部は、所定の位置関係にある時には、つば部を底面部に接触することが可能で、つば部を底面部に接触した状態でつば部をスライドすることにより、つば部の両側に底面部とガイド支持部が位置するスライド空間に配置することが可能な形状を有する。
【００１９】
この態様によれば、防火ダンパーを取付枠に取り付ける場合、つば部およびガイド支持部を所定の位置関係にして、つば部を底面部に接触するようにした後防火ダンパーをスライドすると、つば部はスライド空間に配置される。この状態では、つば部はガイド支持部により支持されるので、一方の手を防火ダンパーに添えるだけで重たい防火ダンパーを保持でき、締結具の操作がより一層容易に行え、特にクレセント錠を使用すれば作業は容易である。また、防火ダンパーを天井に設けた取付枠に取り付けた状態では、防火ダンパーはガイド支持部により支持されることになり、締結具はつば部がスライド空間からずれるのを防止するのみであり、締結具に大きな下方の重量が印加されないので、締結具の耐久性が向上する。
【００２０】
スライド空間を形成する具体的な構造は、例えば、ガイド支持部が、つば部の幅より広い間隔で対向する２つの平行部分と、２つの平行部分から突き出た突出部と、スライド先の側に設けられた縦部分と、を有し、つば部は、所定の位置関係にある時に突出部に対応する位置に設けられた切欠部を有することで実現される。
【発明の効果】
【００２１】
本発明によれば、防火ダンパーの着脱作業が容易に行える。これにより、防火ダンパーを頻繁に洗浄することができるので、防火ダンパーの表面に形成される油の層が厚くならず、発火の危険性を低減し、防火ダンパーの機構が正常に動作する可能性を向上できる。
【図面の簡単な説明】
【００２２】
【図１】図１は、一般的な防火ダンパーの斜視図である。
【図２】図２は、本発明の第１実施形態の防火ダンパー取付機構を設ける場所を説明する図である。
【図３】図３は、第１実施形態の防火ダンパー取付機構の取付枠を示す図である。
【図４】図４は、第１実施形態の防火ダンパー取付機構の防火ダンパーを示す図である。
【図５】図５は、第１実施形態の防火ダンパー取付機構の取付枠をダクトの入口に固定し、防火ダンパーを取付枠に取り付けた状態を示し、（Ａ）がダクトを含む側断面図を、（Ｂ）が下から見た防火ダンパーおよび取付枠の平面図を示す。
【図６】図６は、本発明の第２実施形態の防火ダンパー取付機構に含まれる取付枠を示す図であり、（Ａ）が上面図と側断面図を、（Ｂ）が（Ａ）において左側から見た側面図を示す。
【図７】図７は、本発明の第２実施形態の防火ダンパー取付機構に含まれる防火ダンパーを示す上面図と側断面図である。
【図８】図８は、第２実施形態の防火ダンパー取付機構で、防火ダンパーを、天井のダクトの入口に固定された取付枠に取り付ける動作を説明し、取り付けた状態を示す図であり、（Ａ）は取り付け動作を、（Ｂ）は取付状態を示す。
【図９】図１１は、付勢機構の例を示す図であり、（Ａ）が正面図を、（Ｂ）が上面図を、（Ｃ）が側面図を示す。
【発明を実施するための形態】
【００２３】
まず、防火ダンパーについて簡単に説明する。実施形態で使用する防火ダンパーは、広く使用されている防火ダンパーである。防火ダンパーについては、例えば、特許文献１および２に記載されている。
【００２４】
図１は、一般的な防火ダンパーの斜視図である。
防火ダンパー２０は、本体部２１と、つば部２２と、を有する。本体部２１は、例えば、長方形（正方形でもよい）の筒であり、内部に回転軸２３に取り付けた遮断板２４を１つ以上有し（図１では３つ）、遮断板２４が開状態の時には、本体部２１の筒の内部を排気が流れ、遮断板２４が閉状態の時には、排気が遮断される。回転軸２３は、感熱素子（ヒューズ）をストッパとし、バネにより付勢されるリンク機構に係止されている。リンク機構は、ウォームギアに接続され、ウォームギアを回転することによりバネに抗して回転軸２３が回転し、遮断板２４が開状態になる。開状態で、温度が上昇してヒューズが溶断する（切れる）と、リンク機構のストッパが外れ、リンク機構は、バネの力により、遮断板２４が閉状態になるように回転軸２３を回転させる。
【００２５】
つば部２２は、本体部２１の筒の一方の縁の外周に、筒に垂直に延びるように設けられた所定幅の板状部分であり、取付枠に取り付けるための貫通穴９０（ここでは４個）を有する。つば部２２を取付枠に取り付けることにより、ダクトへの通路は、本体部２１の筒の内部のみになり、防火ダンパーでこれを遮断することにより、炎のダクトへの回り込みを防止する。
【００２６】
本体部２１の筒およびつば部２２は、板金の折り曲げおよび溶接等により形成される。また、取付枠も、板金の折り曲げおよび溶接等により形成される。
以上、防火ダンパーの一般的な機構および動作について説明した。以下に説明する実施形態で使用する防火ダンパーも、類似の機構を有し、類似の動作を行うものとする。
【００２７】
図２は、本発明の第１実施形態の防火ダンパー取付機構を設ける場所を説明する図である。
厨房の建築物７には、コンロなどを有する調理台１が設けられており、油煙が発生する。油煙を排気するため、建築物７の天井には、排煙路（ダクト）６Ａが設けられ、ダクト６Ａと天井の間には、ダクトの入口６Ｂが設けられ、厨房で発生した油煙は、ダクトの入口６Ｂおよびダクト６Ａを介して排気される。
【００２８】
ダクト６Ａは、建物を連通しており、ダクト６Ａを介して建物に炎が回って大きな火災になるのを防止するため、ダクトの入口６Ｂには防火ダンパー２０を配置する。防火ダンパー２０は、ダクトの入口６Ｂに固定された取付枠１０に着脱自在取り付けられる。
【００２９】
ダクトの入口６Ｂの下側には、油煙に含まれる油を除去するためのグリスフィルタ５Ａおよび５Ｂが配置される。ここでは、グリスフィルタ５Ａおよび５Ｂは、天井に固定され、ダクトの入口６Ｂを囲むように設けられた構造物３に取り付けられる。構造物３の下側の部分には、グリスフィルタ５Ａおよび５Ｂで捕集（トラップ）された油を溜める油溜め４が設けられる。さらに、調理台１で発生した油煙が厨房内に広がらないように、調理台１の上方の天井から、構造物３を囲むように、遮蔽物２が設けられる。さらに、図示していないが、ダクト６Ａには、厨房内の空気を入口６Ｂを介してダクト６Ａ内に引き込むように排気ファンが設けられる。
【００３０】
図２において矢印で示すように、調理台１で発生した油煙は、グリスフィルタ５Ａおよび５Ｂにおいて油がトラップされた後、防火ダンパー２０を通過して、ダクト６Ａを通して排気される。調理台１で大きな燃焼が発生し、防火ダンパー２０を加熱すると、防火ダンパー２０のヒューズが溶断し、防火ダンパー２０が閉状態になり、炎がダクト６Ａに侵入するのを防ぐ。
【００３１】
なお、ダクトの入口６Ｂは、天井に設けられるだけでなく、側壁に設けられる場合もある。そのような場合でも、ダクトの入口６Ｂには防火ダンパー２０を配置し、その前段にはグリスフィルタが配置される。
【００３２】
グリスフィルタは、油煙を完全に除去することは難しく、油煙を含んだ排気が防火ダンパーを通過するため、防火ダンパー２０に油が付着する。そのため、グリスフィルタ５Ａおよび５Ｂだけでなく、防火ダンパー２０も頻繁に洗浄することが望まれている。
【００３３】
グリスフィルタ５Ａおよび５Ｂを洗浄する場合には、構造物３からグリスフィルタ５Ａおよび５Ｂを取り外して洗浄し、洗浄したグリスフィルタ５Ａおよび５Ｂを再び構造物３に取り付ける。
【００３４】
防火ダンパー２０を洗浄する場合には、まずグリスフィルタ５Ａおよび５Ｂを取り外し、その後防火ダンパー２０を取付枠１０から取り外して洗浄し、洗浄した防火ダンパー２０を再び取付枠１０に取り付ける。図２に示すように、この作業は、グリスフィルタ５Ａおよび５Ｂを取り外した空間を介して行うか、グリスフィルタ５Ａおよび５Ｂを含む構造物３全体を取り外してから行う。
【００３５】
図３は、第１実施形態の防火ダンパー取付機構の取付枠１０を示す図である。
取付枠１０は、枠本体部１１と、枠つば部と、を有する。枠本体部１１は、例えば、長方形（ここでは正方形）の筒であり、内部に穴１２を有する。枠つば部は、枠本体部１１の筒の一方の縁の外周に、筒に垂直に延びるように設けられた所定幅の板状部分であり、ここでは段差を有する２段構造になっており、第１枠つば部１３と、第２枠つば部１４と、を有する。第２枠つば部１４の４隅には、建築物７に取り付けるための貫通穴１５（ここでは４個）を有する。
【００３６】
第２枠つば部１４の対向する２辺の中央には、クレセント錠の受け具１６Ａおよび１６Ｂが、設けられている。
取付枠１０は、板金の折り曲げおよび溶接等により形成される。また、受け具１６Ａおよび１６Ｂは、リベット、ねじ、溶接等により第２枠つば部１４に固定される。
【００３７】
図４は、第１実施形態の防火ダンパー取付機構の防火ダンパー２０を示す図である。
防火ダンパー２０は、本体部２１と、つば部２２と、を有する。本体部２１は、例えば、長方形（正方形でもよい）の筒であり、内部に回転軸２３に取り付けた遮断板２４を１つ以上有し（図４では８つ）、遮断板２４が開状態の時には、本体部２１の筒の内部を排気が流れ、遮断板２４が閉状態の時には、排気が遮断される。回転軸２３は、バネ２６により付勢されるリンク機構に係止されている。リンク機構は、感熱素子（ヒューズ）２８を含むストッパと、バネ２６の一端に接続され且つ遮断板２４に係止された移動板２５と、回転に応じて移動板２５を移動するウォームギア２７と、を有し、ウォームギア２７を回転することによりバネに抗して遮断板２４および回転軸２３が回転し、遮断板２４が開状態になる。開状態で、温度が上昇してヒューズが溶断する（切れる）と、ストッパが外れ、リンク機構は、バネ２６の力により、遮断板２４が閉状態になるように遮断板２４および回転軸２３を回転させる。
【００３８】
つば部２２は、本体部２１の筒の一方の縁の外周に、筒に垂直に延びるように設けられた所定幅の板状部分であり、対抗する辺に２個のクレセント錠２９Ａおよび２９Ｂが設けられている。図４では、クレセント錠２９Ａは、受け具と締結される位置にあり、クレセント錠２９Ｂは、受け具と締結されない位置にある場合を示している。
【００３９】
本体部２１の筒およびつば部２２は、板金の折り曲げおよび溶接等により形成される。
以上説明したように、第１実施形態の防火ダンパー取付機構の防火ダンパー２０は、クレセント錠２９Ａおよび２９Ｂが設けられていることが従来の防火ダンパーと異なり、取付枠１０は、クレセント錠の受け具１６Ａおよび１６Ｂが設けられていることが、従来の取付枠と異なる。
【００４０】
図５は、第１実施形態の防火ダンパー取付機構の取付枠１０をダクトの入口６Ｂに固定し、防火ダンパー２０を取付枠１０に取り付けた状態を示し、（Ａ）がダクトを含む側断面図を、（Ｂ）が下から見た防火ダンパー２０および取付枠１０の平面図を示す。
図５に示すように、防火ダンパー２０は、クレセント錠２９Ａおよび２９Ｂを受け具１６Ａおよび１６Ｂに締結することにより、取付枠１０に取り付けられている。
【００４１】
取付枠１０の枠つば部１４は、穴１２を除いて、ダクトの入口６Ｂを密閉するように建築物７に固定されている。防火ダンパー２０は、つば部２２が第１枠つば部１３に接触するように固定されており、本体部２１の筒以外の部分は密閉されている。したがって、遮断板２４が閉状態になることにより、本体部２１の筒が閉されると、厨房とダクト６Ａは遮断され、厨房で発生した炎のダクトへの回り込みを防止する。
【００４２】
図５に示すように、第１実施形態の防火ダンパー取付機構では、防火ダンパー２０を取付枠１０から取り外す場合には、クレセント錠２９Ａおよび２９Ｂを操作して、クレセント錠２９Ａおよび２９Ｂと受け具１６Ａおよび１６Ｂの締結を解除する。この作業は、一方の手で防火ダンパー２０を支持した上で、他方の手でクレセント錠２９Ａおよび２９Ｂを操作することにより容易に行える。また、防火ダンパー２０を取付枠１０に取り付ける場合には、クレセント錠２９Ａおよび２９Ｂを解除位置、すなわち図４のクレセント錠２９Ｂの状態（図４のクレセント錠２９Ａは締結位置）にした上で、防火ダンパー２０を取付枠１０内に収容した上で、クレセント錠２９Ａおよび２９Ｂを操作して、クレセント錠２９Ａおよび２９Ｂと受け具１６Ａおよび１６Ｂを締結する。この作業は、両手で防火ダンパー２０を取付枠１０内に収容し、その後一方の手で防火ダンパー２０を支持した上で、他方の手でクレセント錠２９Ａおよび２９Ｂを操作することにより容易に行える。
【００４３】
例えば、従来の防火ダンパーが取付枠にねじ止めされている機構では、防火ダンパーを取付枠から取り外す場合には、一方の手で防火ダンパー２０を支持した上で、他方の手でドライバを使用して、ねじを取り外し、ドライバおよびねじ持った上で防火ダンパー２０を下まで移動させる必要があり、非常に煩雑で難しい作業である。また、防火ダンパーを取付枠に取り付ける場合も同様に非常に煩雑で難しい作業である。
【００４４】
以上のように、第１実施形態の防火ダンパー取付機構では、防火ダンパー２０の取り外しおよび取り付け作業が容易になる。
なお、第１実施形態では、防火ダンパー２０にクレセント錠２９Ａおよび２９Ｂを、取付枠１０に受け具１６Ａおよび１６Ｂを設けたが、防火ダンパー２０に受け具１６Ａおよび１６Ｂを、取付枠１０にクレセント錠２９Ａおよび２９Ｂを設けることも可能である。また、クレセント錠と受け具の組数は、２組に制限されず、３組以上でもよい。さらに、第１実施形態のように、クレセント錠２９Ａおよび２９Ｂとして同じものを使用してもよいが、左右対称のクレセント錠を使用してもよい。
【００４５】
図６は、本発明の第２実施形態の防火ダンパー取付機構に含まれる取付枠１０Ｂを示す図であり、（Ａ）が上面図と側断面図を、（Ｂ）が（Ａ）において左側から見た側面図を示す。
【００４６】
取付枠１０Ｂは、枠本体部１１と、枠つば部と、を有する。枠本体部１１は、例えば、長方形の筒であり、内部に穴１２を有する。枠つば部は、底面部と、ガイド支持部と、を有する。底面部は、枠本体部１１の筒の一方の縁の外周に、筒に垂直に延びるように設けられた所定幅の板状部分であり、段差を有する２段構造になっており、第１枠つば部１３と、第２枠つば部１４と、を有する。図６における左辺の第１枠つば部１３Ａは、他の辺より幅が広くなっている。この理由については後述する。ガイド支持部は、図６における上辺と右辺上側の第２枠つば部１４の上に設けられる第１ガイド支持部材４０Ａと、下辺と右辺白髪和の第２枠つば部１４の上に設けられる第２ガイド支持部材４０Ｂと、を有する。第１ガイド支持部材４０Ａおよび第２ガイド支持部材４０Ｂは、第２枠つば部１４上に、溶接、リベット、ねじ等で固定される。また、図示していないが、取付枠１０Ｂの４隅（第２枠つば部１４および第１および第２ガイド支持部材４０Ａおよび４０Ｂ）には、建築物７に取り付けるための貫通穴を有する。
【００４７】
さらに、第１および第２ガイド支持部材４０Ａおよび４０Ｂの上辺と下辺の部分は、後述する防火ダンパー２０Ｂの幅より広い間隔で対向する２つの平行部分を有し、図示の位置に、２つの平行部分から突き出た突出部４２Ａ−４２Ｃおよび４２Ｄ−４２Ｆと、を有する。したがって、突出部４２Ａ−４２Ｃおよび４２Ｄ−４２Ｆと第１枠つば部１３との間には溝が形成される。
【００４８】
一方、第１および第２ガイド支持部材４０Ａおよび４０Ｂの右辺の部分は、第２枠つば部１４より幅が広く、第１枠つば部１３との間に溝を形成する。
さらに、第１枠つば部１３の右辺の中央、上辺および可変の左側には、クレセント錠４１Ａ−４１Ｃが設けられている。なお、（Ａ）の側断面図および（Ｂ）の側面図では、クレセント錠４１Ａ−４１Ｃの図示を省略している。クレセント錠４１Ａおよび４１Ｂは同じものであるが、クレセント錠４１Ｃはクレセント錠４１Ａおよび４１Ｂに対して対称の形状を有する。
【００４９】
図７は、本発明の第２実施形態の防火ダンパー取付機構に含まれる防火ダンパー２０Ｂを示す上面図と側断面図である。
防火ダンパー２０Ｂは、第１実施形態の防火ダンパー２０と類似の構造を有するが、図７における左側のつば部２２Ｅが他の部分に比べて幅が広いことと、上辺および下辺に切欠５２Ａ−５２Ｆが設けられていること、およびクレセント錠の代わりに受け具５１Ａ−５１Ｃが設けられていることが異なる。
【００５０】
図６の取付枠１０Ｂと図７の防火ダンパー２０Ｂの形状の相対関係を説明すると、防火ダンパー２０Ｂの左辺を、取付枠１０Ｂの左辺の第１枠つば部１３Ｂと第２枠つば部１４の境界に合わせ、防火ダンパー２０Ｂと取付枠１０Ｂの上下の中心を合わせると、突出部４２Ａ−４２Ｆと切欠５２Ａ−５２Ｆが対向し、防火ダンパー２０Ｂを取付枠１０Ｂに接触させると、防火ダンパー２０Ｂのつば部２２が、取付枠１０Ｂの第１枠つば部１３と接触する状態になる。以下、この位置関係を、所定の位置関係と称する。言い換えれば、所定の位置関係では、防火ダンパー２０Ｂのつば部２２を、第１および第２ガイド支持部材４０Ａおよび４０Ｂと第１枠つば部１３の間に位置させることができる。この状態で、防火ダンパー２０Ｂを右にスライドすると、防火ダンパー２０Ｂのつば部２２の右辺は、第１および第２ガイド支持部材４０Ａおよび４０Ｂと第１枠つば部１３の間の溝に挿入される。また、防火ダンパー２０Ｂのつば部２２の上辺と下辺の一部は、第１および第２ガイド支持部材４０Ａおよび４０Ｂと第１枠つば部１３の間に位置することになる。そして、受け具５１Ａ−５１Ｃは、クレセント錠４１Ａ−４１Ｃと締結可能な場所に位置する。
【００５１】
図８は、第２実施形態の防火ダンパー取付機構で、防火ダンパー２０Ｂを、天井のダクトの入口６Ｂに固定された取付枠１０Ｂに取り付ける動作を説明し、取り付けた状態を示す図であり、（Ａ）は取り付け動作を、（Ｂ）は取付状態を示す。
図８の（Ａ）に示すように、天井のダクトの入口６Ｂに固定された取付枠１０Ｂに対して、防火ダンパー２０Ｂを所定の位置関係となる位置に合わせた後、さらに持ち上げて防火ダンパー２０Ｂのつば部２２を、取付枠１０Ｂの第１枠つば部１３に接触させ、右側にスライドする。この状態では、防火ダンパー２０Ｂは、第１および第２ガイド支持部材４０Ａおよび４０Ｂの右辺部分と突出部４２Ａ−４２Ｆにより支持され、手を添えるだけで落下しない状態である。この状態で、クレセント錠４１Ａ−４１Ｃを操作して受け具５１Ａ−５１Ｃと締結すると、図８の（Ｂ）の取付状態になる。
【００５２】
防火ダンパー２０Ｂを取付枠１０Ｂから取り外す場合には、防火ダンパー２０Ｂに手を添えて、クレセント錠４１Ａ−４１Ｃを操作して受け具５１Ａ−５１Ｃとの締結を解除した後、防火ダンパー２０Ｂを左側にスライドし、防火ダンパー２０Ｂを下方に移動させる。
【００５３】
図８の（Ｂ）の状態では、取付枠１０Ｂの穴１２の周囲は、防火ダンパー２０Ｂのつば部２２で覆われ、防火ダンパー２０Ｂの本体部２１の筒のみが連通している。このような状態にできるように、取付枠１０Ｂの左辺の第１枠つば部１３Ａの幅が広く、防火ダンパー２０Ｂの左辺のつば部２２Ｅの幅を広くしている。
【００５４】
また、クレセント錠４１Ａ−４１Ｃを受け具５１Ａ−５１Ｃと締結すると、クレセント錠４１Ａ−４１Ｃのいずれも、防火ダンパー２０Ｂを右側に不正することになり、防火ダンパー２０Ｂを取付枠１０Ｂに対して安定して保持できる。
【００５５】
なお、第２実施形態では、３組のクレセント錠４１Ａ−４１Ｃおよび受け具５１Ａ−５１Ｃを設けたが、取り付けた状態では、防火ダンパー２０Ｂの重量は、第１および第２ガイド支持部材４０Ａおよび４０Ｂの右辺部分と突出部４２Ａ−４２Ｆにより支持されるので、クレセント錠には大きな重量は印加されないため、例えば、クレセント錠４１Ａと受け具５１Ａの１組のみを設けるようにしてもよい。
【００５６】
また、図８の（Ａ）で、取付枠１０Ｂの左辺の第２枠つば部１４に、防火ダンパー２０Ｂの左辺を右側に付勢する付勢機構を設けるようにしてもよい。付勢機構は、付勢状態と解除状態が切り替えられるように構成し、防火ダンパー２０Ｂを取り外す場合には、付勢機構を解除状態に切り替えて取り外し、取り付ける場合には、付勢機構を解除状態にして取り付け、スライド後に付勢状態に切り替える。
【００５７】
図９は、付勢機構の例を示す図であり、（Ａ）が正面図を、（Ｂ）が上面図を、（Ｃ）が側面図を示す。
付勢機構は、回転軸６１と、回転軸６１に回転可能に取り付けられたバー６２と、バー６２の部材６４と固定部材６５の間に係止されたばね６３と、ストッパ６７および６８と、を有する。バー６２を、図９の（Ｂ）において実線で示す状態にすると、ばね６３の力により、右側に回転する力が働く。図９の（Ｃ）に示すように、バー６２の先端が、防火ダンパー２０Ｂのつば部２２Ｅの設けられた部材７０を押し、防火ダンパー２０Ｂを右側に押す。これが付勢状態である。付勢状態では、防火ダンパー２０Ｂは、図８の（Ｂ）に示された取付状態に維持される。
【００５８】
バー６２には操作部材６６が設けられており、操作部材６６を操作してバー６２を左側に回転すると、図９の（Ｂ）においては線で示す状態になり、バー６２は左側に開店する力が働くが、ストッパ６８により停止し、その状態が維持される。付勢状態にするには、操作部材６６を操作してバー６２を左側に回転する。ストッパ６７は、防火ダンパー２０Ｂが装着されていない状態で、バー６２が大きく回転するのを防止する。
【００５９】
以上、本発明の実施形態を説明したが、各種の変形例があり得ることはいうまでも無い。例えば、防火ダンパーは、各種の既製品が利用可能であり、既製品に簡単な追加工を施すことにより、本発明の防火ダンパー取付機構の防火ダンパーとして使用可能である。また、クレセント錠および受け具も各種の既製品が利用可能である。さらに、クレセント錠には、緩み防止ピンを有するもの利用可能である。
【００６０】
以上、本発明の実施形態を説明したが、各種の変形例が可能であることはいうまでもない。例えば、各実施形態および変形例で説明した事項は組み合わせることが可能である。また、各部の形状および配置は、使用用途に応じて適宜設計されるものである。
【００６１】
以下、実施形態に関し、更に以下の態様を開示する。
（態様１）
ダクトの入口に設けられた取付枠に、防火ダンパーを着脱自在に取り付ける防火ダンパー取付構造であって、
前記取付枠および前記防火ダンパーの少なくとも一方に設けられ、前記防火ダンパーを前記取付枠に取り付けるための締結具を備えることを特徴とする防火ダンパー取付構造。
（態様２）
前記締結具は、前記取付枠および前記防火ダンパーの一方に設けられたクレセント錠と、前記取付枠および前記防火ダンパーの他方に設けられた受け具を含む態様１記載の防火ダンパー取付構造。
（態様３）
前記取付枠は、に、防火ダンパークレセント錠と前記受け具の組を複数組備える態様２記載の防火ダンパー取付構造。
（態様４）
前記防火ダンパーは、本体部と、つば部と、を有し、
前記取付枠は、前記防火ダンパーの前記本体部を収容する筒と、前記筒の外側の縁の外周に設けられ、前記防火ダンパーの前記つば部を受けるつば受け部と、を有し、
前記つば受け部は、底面部と、前記底面部との間にスライド空間を形成するガイド支持部と、を有し、
前記つば部および前記ガイド支持部は、所定の位置関係にある時には、前記つば部を前記底面部に接触することが可能で、前記つば部を前記底面部に接触した状態で前記つば部をスライドすることにより、前記つば部の両側に前記底面部と前記ガイド支持部が位置する前記スライド空間に配置することが可能な形状を有する態様１から３のいずれか記載の防火ダンパー取付構造。
（態様５）
前記ガイド支持部は、
前記つば部の幅より広い間隔で対向する２つの平行部分と、
前記２つの平行部分から突き出た突出部と、
スライド先の側に設けられた縦部分と、を有し、
前記つば部は、前記所定の位置関係にある時に前記突出部に対応する位置に設けられた切欠部を有する態様４記載の防火ダンパー取付構造。
【産業上の利用可能性】
【００６２】
本発明は、各種の防火ダンパーを取り付ける防火ダンパー取付構造に適用可能である。
【符号の説明】
【００６３】
６Ｂ    ダクトの入口
１０    取付枠
１１    枠本体部
１２    穴
１３    第１枠つば部
１４    第２枠つば部
１６Ａ、１６Ｂ    受け具
２０    防火ダンパー
２１    本体部
２２    つば部
２３    回転軸
２４    遮蔽板
２６    ばね
２８    感熱素子（ヒューズ）
２９Ａ、２９Ｂ    クレセント錠
【図１】
2014149129.tif 000003
【図２】
2014149129.tif 000004
【図３】
2014149129.tif 000005
【図４】
2014149129.tif 000006
【図５】
2014149129.tif 000007
【図６】
2014149129.tif 000008
【図７】
2014149129.tif 000009
【図８】
2014149129.tif 000010
【図９】
2014149129.tif 000011